(57)【要約】【課題】把持棒１２〜１４に対する把持範囲が広がるとともに、起立後に歩行先の変更が可能となり、自助範囲が増す介助用手摺装置１を提供する。【解決手段】横把持棒ユニット１８を把持棒１２、１３の端部に着脱可能に連結しているので、使用者を横方向にも支えることができる。このため、使用者の把持棒１２〜１４に対する把持範囲が広がる一方、起立後に歩行先の変更が可能となり、姿勢を変えることで移動範囲が広がり、自らの力で身辺雑事を足す自助範囲が増す。支柱９は回転調節可能で、かつ軸方向に高さ調節可能であるため、支柱９を把持棒１２〜１３が使用者の望む向き指向するように設定できるとともに、支柱９を使用者の身長に見合った高さで、把持棒が掴み易いように調整できる。【選択図】図２
2011010853.tif 000002
【特許請求の範囲】
【請求項１】
使用に応じた箇所に設置される設置板と、
前記設置板に位置変更可能に取り付けられた縦形の支持筒と、
前記支持筒内に軸周りに回転調節可能で、かつ軸方向に高さ調節可能に設けられた支柱と、
前記支柱に直交状態に貫通し、前記支柱に沿って上下複数段に設けられ、使用者が自身の支えとするように掴まる把持棒とを有するスタンド支持部材を備えており、
前記把持棒の端部に着脱可能に連結されて前記把持棒の延長として機能する横把持棒ユニットを設けた介助用手摺装置。
【請求項２】
前記横把持棒ユニットは、互いに水平となる上段横棒部と下段横棒部とを含む横Ｕ字状管部を有し、前記上段横棒部を曲成して前記把持棒の上段の端部に着脱可能に嵌合する上段端管部と、前記下段横棒部を曲成して前記把持棒の下段の端部に着脱可能に嵌合する下段端管部とを備えたことを特徴とする請求項１に記載の介助用手摺装置。
【請求項３】
前記横把持棒ユニットは、互いに水平となる上段横棒部と中段横棒部と下段横棒部とを含む横Ｗ字状管部を有し、前記上段横棒部を曲成して成り、前記把持棒の上段の端部に着脱可能に嵌合する上段端管部と、前記中段横棒部を曲成して成り、前記把持棒の中段の端部に着脱可能に嵌合する中段端管部と、前記下段横棒部を曲成して成り、前記把持棒の下段の端部に着脱可能に嵌合する下段端管部とを備えたことを特徴とする請求項１に記載の介助用手摺装置。
【請求項４】
前記把持棒のうち、前記横把持棒ユニットに連結されない前記把持棒には、弾性材製のグリップ管が嵌込みにより取り付けられていることを特徴とする請求項１に記載の介助用手摺装置。
【請求項５】
前記上段横棒部と前記上段端管部との曲成部、および前記下段横棒部と前記下段端管部との曲成部は、クロソイド曲線に沿って形成されていることを特徴とする請求項２に記載の介助用手摺装置。
【請求項６】
前記上段横棒部と前記上段端管部との曲成部、前記中段横棒部と前記中段端管部との曲成部、および前記下段横棒部と前記下段端管部との曲成部は、クロソイド曲線に沿って形成されていることを特徴とする請求項３に記載の介助用手摺装置。
【請求項７】
前記設置板は矩形を成しており、前記支柱が最も高く移動調節された時、前記設置板の対角線の長さよりも短く、前記対角線の半分よりは長く設定されていることを特徴とする請求項１に記載の介助用手摺装置。
【請求項８】
前記支柱の先端部には、シャワー装置の送水管を着脱可能に引っ掛ける切欠部が軸方向に形成されていることを特徴とする請求項１に記載の介助用手摺装置。
【請求項９】
所定の間隔で複数設置された前記スタンド支持部材のうち、少なくとも二つの前記スタンド支持部材どうしは、一方の前記スタンド支持部材の前記把持棒と他方の前記スタンド支持部材の前記把持棒との間を着脱可能に連結する中空の手摺管を付設していることを特徴とする請求項１に記載の介助用手摺装置。
【発明の詳細な説明】
【技術分野】
【０００１】
本発明は、複数段の把持棒を備え、足腰が弱かったり不自由な人の立ち上や歩行を支援する介助用手摺装置に関する。
【背景技術】
【０００２】
この種の介助用手摺装置では、正方形の基板上に支柱が垂直に立設され、支柱には上下複数段の握持棒が直交状態に貫通されたものがある（例えば、特許文献１参照）。各握持棒は、左右対称で水平方向に指向し、全体の安定性のため、基板の一辺よりは短く、その半分よりは長く設定されている。
一般の家庭や病院の玄関、洗面所、台所、浴室など使用者の起立や歩行先に応じて、介助用手摺装置を設置するようにしている。基板により支柱を安定状態に自立させ、使用者が手で握持棒を握ることにより、足腰の不自由な人でも起立状態を支援することのできる機能を備えている。
【先行技術文献】
【特許文献】
【０００３】
【特許文献１】実用新案登録第３０９６５３３号公報
【発明の概要】
【発明が解決しようとする課題】
【０００４】
しかしながら、特許文献１の介助用手摺装置は、足の不自由な使用者が握持棒に掴まって起立状態した時、横方向などに向きを変えようとしても、握持棒が真っ直ぐで横方向に使用者を支える手段がないため、姿勢を変更できない不都合がある。
すなわち、握持棒に対する把持範囲が限られるとともに、起立後に歩行先の変更ができないため、姿勢を変えることができず、手の届く範囲が限られて、近くの棚などにある常備品などを自ら取り出すことができない不便さがある。
【０００５】
本発明は、上記事情に鑑みてなされたもので、第１目的は、横方向に使用者を支える手段を備えるため、把持棒に対する把持範囲が広がるとともに、起立後に歩行先の変更が可能となり、姿勢を変えることで移動範囲が広がり、自らの力で身辺雑事を足す自助範囲が増すといった便利な介助用手摺装置を提供することにある。
【０００６】
本発明の第２目的は、支柱を回転調節して把持棒が使用者の望む向きに指向するように設定できるとともに、支柱を使用者の身長に見合った高さで、把持棒を掴み易いように調整することができて使い勝手のよい介助用手摺装置を提供することにある。
【０００７】
本発明の第３目的は、一方のスタンド支持部材の把持棒と他方のスタンド支持部材の把持棒との間を手摺管で着脱可能に連結することにより、手摺管が延長形支持棒として働き、使用者がスタンド支持部材を使って立ち上がった後、手摺管を伝って所望の場所に移動することができる多用途形の介助用手摺装置を提供することにある。
【課題を解決するための手段】
【０００８】
（請求項１について）
設置板は使用に応じた箇所に設置されるようになっている。縦形の支持筒は設置板に位置変更可能に取り付けられている。支柱は支持筒内に軸周りに回転調節可能で、かつ軸方向に高さ調節可能に設けられている。把持棒は支柱に直交状態に貫通し、支柱に沿って上下複数段に設けられており、使用者が自身の支えとするように掴まるものである（スタンド支持部材）。横把持棒ユニットは、把持棒の端部に着脱可能に連結されて把持棒の延長として機能する。
【０００９】
この介助用手摺装置では、足腰が弱かったり不自由な使用者が把持棒を掴みながら立ち上がったり、歩行することができることは勿論、横把持棒ユニットを把持棒の端部に着脱可能に連結しているので、使用者を横方向にも支えることができるようになる。
このため、使用者の把持棒に対する把持範囲が広がるとともに、起立後に歩行先の変更が可能となり、姿勢を変えることで移動範囲が広がり、自らの力で身辺雑事を足す自助範囲が増すといった利便性が得られる。
【００１０】
支柱は回転調節可能で、かつ軸方向に高さ調節可能になっているため、支柱を回転調節して把持棒が使用者の望む向きに指向するように設定できるとともに、支柱を使用者の身長に見合った高さで、把持棒が掴み易いように調整できて使い勝手がよくなる。
また、縦形の支持筒は、設置板に位置変更可能になっているため、把持棒に掴まって使用者の負荷が加わっても、支柱を設置板と一緒に転倒させる虞のない安定した位置を選んで取り付けることができる。
【００１１】
（請求項２について）
横把持棒ユニットは、互いに水平となる上段横棒部と下段横棒部とを含む横Ｕ字状管部を有している。上段横棒部を曲成して把持棒の上段の端部に着脱可能に嵌合する上段端管部と、下段横棒部を曲成して把持棒の下段の端部に着脱可能に嵌合する下段端管部とが設けられている。
この場合、横把持棒ユニットは、単一本のパイプを曲成することで形成され、良好なデザイン性を発揮しながらも、簡素な構造で迅速に形成できて量産性に優れる。このため、購買力の乏しい使用者にも安価に購入させることができ、普及による量販性が可能となる。
【００１２】
（請求項３について）
横把持棒ユニットは、互いに水平となる上段横棒部と中段横棒部と下段横棒部とを含む横Ｗ字状管部を有している。上段横棒部を曲成して成り、把持棒の上段の端部に着脱可能に嵌合する上段端管部と、中段横棒部を曲成して成り、把持棒の中段の端部に着脱可能に嵌合する中段端管部と、下段横棒部を曲成して成り、把持棒の下段の端部に着脱可能に嵌合する下段端管部とが設けられている。
この場合、上段横棒部と中段横棒部と下段横棒部といったように三段の横棒部を備えているので、使用者の掴み箇所が増えて支持状態を一層安定させることができる。
【００１３】
（請求項４について）
把持棒のうち、横把持棒ユニットに連結されない把持棒には、弾性材製のグリップ管が嵌込みにより取り付けられている。
このため、使用者が把持棒を掴む時、手に与える感触がよくなるとともに、滑りにくくなってグリップ性が向上する。
【００１４】
（請求項５について）
上段横棒部と上段端管部との曲成部、および下段横棒部と下段端管部との曲成部は、クロソイド曲線に沿って形成されている。
クロソイド曲線は緩和曲線の一つとして知られており、上段横棒部（下段横棒部）と上段端管部（下段端管部）との曲成部に沿って歩行先を変える際、スムーズかつ楽に姿勢を変更することができる。
【００１５】
（請求項６について）
上段横棒部と上段端管部との曲成部、中段横棒部と中段端管部との曲成部、および下段横棒部と下段端管部との曲成部は、クロソイド曲線に沿って形成されている。
このため、請求項５と同様に、上段横棒部（中段横棒部、下段横棒部）と上段端管部（中段端管部、下段端管部）との曲成部に沿って歩行先を変える際、スムーズかつ楽に姿勢を変更することができる。
【００１６】
（請求項７について）
設置板は矩形状を成しており、支柱が最も高く移動調節された時、設置板の対角線の長さよりも短く、対角線の半分よりは長く設定されている。
このため、支柱の安定化が図られ、使用者が把持棒を掴んで立ち上がる際、支柱に不用意に外力が加わっても、支柱が設置板と一緒に転倒する虞がなくなる。
【００１７】
（請求項８について）
支柱の先端部には、シャワー装置の送水管を着脱可能に引っ掛ける切欠部が軸方向に形成されている。
この場合、使用者は着座状態で、把持棒を掴みながらシャワー装置からのシャワーを過不足なく自由に浴びることができる。
【００１８】
（請求項９について）
所定の間隔で複数設置されたスタンド支持部材うち、少なくとも二つのスタンド支持部材どうしは、一方のスタンド支持部材の把持棒と他方のスタンド支持部材の把持棒との間を着脱可能に連結する中空の手摺管を付設している。
このため、手摺管が延長形支持棒として働き、使用者がスタンド支持部材を使って立ち上がった後、手摺管を伝って所望の場所に移動することができるようになって用途性が高まる。
【図面の簡単な説明】
【００１９】
【図１】本発明に関する介助用手摺装置の分解斜視図である（実施例１）。
【図２】（ａ）は介助用手摺装置の斜視図（実施例１）、（ｂ）は把持棒に対する横把持棒ユニットの取付構造を示す横断面図（実施例１）、（ｃ）横把持棒ユニットの斜視図である（実施例２）。
【図３】複数のスタンド支持部材の間に手摺管を連結した例を示す斜視図である（実施例３）。
【図４】複数のスタンド支持部材の間に連結した手摺管を階段に設けた例を示す斜視図である（実施例４）。
【図５】介助用手摺装置を用いて、起立状態でシャワーを浴びる例を示す斜視図である（実施例５）。
【図６】介助用手摺装置を用いて、尻掛け台に腰を下ろしてシャワーを浴びる例を示す斜視図である（実施例６）。
【図７】把持棒に対する横把持棒ユニットの異なる取付態様を示す介助用手摺装置の斜視図である（実施例７）。
【図８】把持棒に対する横把持棒ユニットの異なる取付態様を示す介助用手摺装置の斜視図である（実施例８）。
【図９】異なる横把持棒ユニットを用いた介助用手摺装置の斜視図である（実施例９）。
【発明を実施するための形態】
【００２０】
本発明の介助用手摺装置では、横方向に使用者を支える手段を備えるため、把持棒に対する把持範囲が広がるとともに、起立後に歩行先の変更が可能となり、姿勢を変えることで移動範囲が広がり、自らの力で身辺雑事を足す自助範囲が増す。支柱を回転調節して把持棒が使用者の望む向きに指向するように設定できる一方、支柱を使用者の身長に見合った高さや把持棒が掴み易い高さに設定できるようになり、使い勝手がよくなる。
【実施例１】
【００２１】
図１ないし図２（ａ）、（ｂ）に基づいて本発明の実施例１を説明する。
図１に示す介助用手摺装置１は、一般の家庭や病院の玄関、洗面所、台所、浴室など使用者の起立や歩行先に応じて設置されるようになっている。介助用手摺装置１の設置板２は、例えば金属薄板（軟鋼板）により矩形状に形成され、使用に応じた箇所に設置される。設置板２の四隅角部は、面取りにより丸く形成され、外周縁部は環状のゴム製リボン帯３により縁取り被覆加工されている。
【００２２】
設置板２の中心部および外周縁中央部には、三個を一組とする透孔群４、５が設けられている。設置板２の裏面からは、透孔群４、５に対応する螺子群６が挿通するようになっている。
縦形の支持筒７は、底部が塞がれた有底円筒状を成し、底部には透孔群４、５に対応する螺子孔群８が形成されている。支持筒７を、例えば設置板２の外周縁中央部Ｎに配して、螺子群６を透孔群５に挿通させて螺子孔群８に締め付けることにより、支持筒７が設置板２に垂直状態に組み付けられる｛図２（ａ）参照｝。
また、支持筒７を設置板２の中心部Ｍに配することにより、支持筒７の組み付け位置を設置板２の外周縁中央部Ｎから中心部Ｍに変更できる。これにより、支持筒７が後述する支柱９とともに、設置板２に対して位置変更可能に取り付けられる。
【００２３】
支柱９は所定長さの円筒状を成し、その下端部が図１に矢印Ｆで示すように、支持筒７内に軸周り方向に回転調節可能で、かつ同図に矢印Ｇで示すように、軸方向の移動により高さ調節可能に嵌め込まれる。
支持筒７に形成された複数の螺子孔１０に螺子１１を専用工具（図示せず）で締め付けることにより、螺子１１の先端が支柱９の外表面に強固に圧接する。これにより、支柱９が所定の回転角度で高さ調節されて支持筒７に固定される｛図２（ａ）参照｝。
【００２４】
円筒状の把持棒１２、１３、１４は、支柱９に直交状態で左右対称に貫通し、支柱９に沿って上下複数段（例えば三段）に取り付けられて、使用者が自身の支えとする掴み手段として働く。把持棒１２〜１４は、上述の設置板２、支持筒７および支柱９と一緒にスタンド支持部材１５を構成する。
支柱９対する把持棒１２〜１４の貫通部分は、溶接により一体的に固着シールされている。把持棒１２〜１４の上下配列は、等間隔でも不等間隔でもよく、あるいは等差級数的間隔であってもよい。
【００２５】
把持棒１２〜１４の図示右半分部および把持棒１４の図示左半分部には、弾性材製（例えばゴム製）のグリップ管１６が嵌込みにより取り付けられている。把持棒１２〜１４の両端開口部のそれぞれには、プラスチック製のエンドキャップ１７が嵌め込まれている。把持棒１２〜１４のうち、いずれにグリップ管１６を取り付けるかは、使用状況などに応じて所望に決められる。
【００２６】
把持棒１２、１３における図示左半分部の端部には、横把持棒ユニット１８が着脱可能に連結されて把持棒１２、１３の延長として機能する。
横把持棒ユニット１８は、互いに水平となる上段横棒部１８ａと下段横棒部１８ｂとを備えた横Ｕ字状管部１８ｃを有している。
【００２７】
上段横棒部１８ａは、所定角度θ（例えば９０度）だけ曲成されて、把持棒１２の上段の端部１２ａに着脱可能に嵌合する上段端管部１８ｄを設けている。下段横棒部１８ｂは、所定角度θ（例えば９０度）だけ曲成されて、把持棒１３の下段の端部１３ａに着脱可能に嵌合する下段端管部１８ｅを設けている。
上段横棒部１８ａと上段端管部１８ｄとが成す曲成部の角度θ、ならびに下段横棒部１８ｂと下段端管部１８ｅとが成す曲成部の角度θは、９０度に限らず、例えば８０〜１２０度の角度範囲に設定してもよい。
【００２８】
把持棒１２、１３に上段端管部１８ｄおよび下段端管部１８ｅを嵌合した時、固定する手段として、図２（ｂ）に示すように、ナット１９、締付ボルト２０および円筒ブッシュ２１から成る着脱機構Ｅが設けられている。上段端管部１８ｄおよび下段端管部１８ｅに形成した螺子孔２２に、ナット１９を螺合した締付ボルト２０がねじ込まれている。
【００２９】
締付ボルト２０を締め付けることにより、締付ボルト２０の頭部２０ａがナット１９に圧接し、先端部が円筒ブッシュ２１を介して把持棒１２、１３の外表面に強固に圧接する。締付ボルト２０を緩めることにより、把持棒１２、１３に対する締付ボルト２０の圧接が解除されるため、上段端管部１８ｄおよび下段端管部１８ｅを把持棒１２、１３から引き抜くことができる。
【００３０】
図２（ａ）において、支柱９を最も高い長さＨに移動調節した時、設置板２の対角線の長さＷよりも短いが、対角線の長さＷの半分よりは長くなるように設定されている（Ｗ／２＜Ｈ＜Ｗ）。これにより、支柱９の安定化が図られ、使用者が把持棒１２〜１４を掴んで立ち上がる際、支柱９に不用意に外力が加わっても、支柱９が設置板２と一緒に転倒する虞をなくしている。
【００３１】
上記構成の介助用手摺装置１によれば、足腰が弱かったり不自由な使用者が把持棒１２〜１４を掴みながら立ち上がったり、歩行することができることは勿論、横把持棒ユニット１８を把持棒１２、１３の端部１２ａ、１３ａに着脱可能に連結しているので、使用者を横方向にも支えることができるようになる。
このため、使用者の把持棒１２〜１４に対する把持範囲が広がるとともに、起立後に歩行先の変更が可能となり、姿勢を変えることで移動範囲が広がり、自らの力で身辺雑事を足す自助範囲が増すといった利便性が得られる。
【００３２】
支柱９は回転調節可能で、かつ軸方向に高さ調節可能になっているため、支柱９を回転調節して把持棒１２〜１４が使用者の望む向きに指向するように設定できるとともに、支柱９を使用者の身長に見合った高さで把持棒１２〜１４が掴み易いように調整できて使い勝手がよくなる。
また、縦形の支持筒７は、設置板２に位置変更可能になっているため、把持棒１２〜１４に掴まって使用者の負荷が加わっても、支柱９を設置板２と一緒に転倒させる虞のない安定した位置を選んで取り付けることができる。
【００３３】
横把持棒ユニット１８は、互いに水平となる上段横棒部１８ａと下段横棒部１８ｂとを備えた横Ｕ字状管部１８ｃを有し、上段端管部１８ｄと下段端管部１８ｅとを設けている。  
この場合、横把持棒ユニット１８は、単一本のパイプを曲成することで形成され、良好なデザイン性を発揮しながらも、簡素な構造で迅速に形成できて量産性に優れる。このため、購買力の乏しい使用者にも安価に購入させることができ、普及による量販性が可能となる。
【実施例２】
【００３４】
図２（ｃ）は本発明の実施例２を示す。実施例２が実施例１と異なるところは、横把持棒ユニット１８の上段横棒部１８ａと上段端管部１８ｄとの曲成部１８Ａ、および下段横棒部１８ｂと下段端管部１８ｅとの曲成部１８Ｂをクロソイド曲線に沿って曲成したことである。
【００３５】
クロソイド曲線は、車両を走行しながら、一定の角速度で舵を切る時、車両が描く軌跡となる緩和曲線（安全曲線）として知られている。
クロソイド曲線では、Ｌを出発点からの進行距離（曲線長）とし、Ｒを舵を切る際に描く軌跡の曲線の曲率半径とすると、Ｒ・Ｌ＝Ａ2 （Ａ：長さの次元で定数）の関係がある。
横把持棒ユニット１８にクロソイド曲線を適用したことにより、上段横棒部１８ａ（下段横棒部１８ｂ）と上段端管部１８ｄ（下段端管部１８ｅ）との曲成部１８Ａ、１８Ｂに沿って歩行先を変える際、スムーズかつ楽に姿勢を変更することができる。
なお、クロソイド曲線を平面座標で表すと、ｘ（ｓ）＝∫ｃｏｓ（φ2 ／２）ｄφおよびｙ（ｓ）＝∫ｓｉｎ（φ2 ／２）ｄφの関数で表される。ｓは曲線長で、φは操舵角を示す。関数ｘ（ｓ）およびｙ（ｓ）の積分範囲は０〜ｓである。
【実施例３】
【００３６】
図３は本発明の実施例３を示す。実施例３では、矩形の寝台２５側に介助用手摺装置１を設置して、横把持棒ユニット１８の横Ｕ字状管部１８ｃが寝台２５に近接して、その長手方向に沿うように配している。
このため、寝台に横たわっている使用者が上半身を起こした時、横把持棒ユニット１８の横Ｕ字状管部１８ｃを掴み易いようになる。寝台２５側の横把持棒ユニット１８に他に、横把持棒ユニット１８を取り外した二台のスタンド支持部材１５を廊下側に一定の距離間隔で前後に対向配置している。
【００３７】
介助用手摺装置１の把持棒１２と前方のスタンド支持部材１５の把持棒１２とは、長尺な手摺管２６により連結されている。すなわち、手摺管２６の一端２６ａは、介助用手摺装置１の把持棒１２に嵌合され、他端２６ｂは前方のスタンド支持部材１５の把持棒１２に嵌合されている。
【００３８】
前後のスタンド支持部材１５の間には、手摺管２７が設けられている。手摺管２７の一端２７ａは略直角に曲げられて前方のスタンド支持部材１５の把持棒１３に嵌合され、他端２７ｂは略直角に曲げられて後方のスタンド支持部材１５の把持棒１３に嵌合されている。図示はしないが、把持棒１２、１３に対する手摺管２６、２７の取り付けは、図２（ｂ）と同様な着脱機構Ｅが用いられる。手摺管２６、２７が嵌め込まれる把持棒１２、１３には、グリップ管１６は取り外されているものとする。
【００３９】
この場合、手摺管２６、２７が延長形支持棒として働き、使用者が介助用手摺装置１やスタンド支持部材１５を使って立ち上がった後、手摺管２６、２７を伝って所望の場所に移動することが可能となって用途性が高くなる。
【実施例４】
【００４０】
図４は本発明の実施例４を示す。実施例４では、建造物における階下の踊り場２８と階上の踊り場２９とにスタンド支持部材１５を設置している。手摺管３０は、階下の踊り場２８と階上の踊り場２９を結ぶ階段３１に沿って配されている。
【００４１】
すなわち、手摺管３０の一端３０ａは、踊り場２８と水平となるように折り曲げられて階下にあるスタンド支持部材１５の把持棒１２に嵌合され、他端３０ｂは踊り場２９と水平となるように折り曲げられて、階上にあるスタンド支持部材１５の把持棒１２に嵌合されている。
このため、階下の踊り場２８と階上の踊り場２９との間を使用者が階段３１に沿って移動する際に、使用者が手摺管３０を伝って楽に昇り降りできる便宜が得られる。
この場合、把持棒１２〜１４に対して手摺管３０を選択的に連結することにより、手摺管３０を把持棒１２〜１４のいずれかに応じた高さに調節することができる。
【実施例５】
【００４２】
図５は本発明の実施例５を示す。実施例５では、実施例１における介助用手摺装置１を用いて使用者ＵがシャワーＳｗを浴びるものである。横把持棒ユニット１８の上段端管部１８ｄおよび把持棒１２のグリップ管１６に掴まりながら起立状態を保っている。
このため、使用者Ｕは上半身をシャワー装置３２に向けながらシャワーＳｗを過不足なく自由に浴びることができる。
【実施例６】
【００４３】
図６は本発明の実施例６を示す。実施例６では、使用者Ｕが尻掛け台３３に腰を下ろしながらシャワーＳｗを浴びるものである。この場合、シャワー装置３２における漏斗状のシャワー吐出部３２ａに通水管３２ｂが連結されているが、シャワー吐出部３２ａと通水管３２ｂとを結ぶ首管部３２ｃは、介助用手摺装置１の支柱９に引っ掛けられるようになっている。
【００４４】
すなわち、支柱９の先端部には、通水管３２ｂの外径ｔ１と同径幅ｔ２でＵ字状を成す切欠部３４が軸方向に形成されている。シャワー吐出部３２ａの首管部３２ｃは、切欠部３４に差し込むようにして引っ掛けられている。首管部３２ｃの後端部には、支柱９の先端部に係止する止めリング３５が嵌着されて首管部３２ｃの位置ずれを防いでいる。
【００４５】
このため、使用者Ｕは尻掛け台３３に腰を下ろした状態で、介助用手摺装置１の把持棒１４のグリップ管１６を掴みながらシャワー吐出部３２ａからのシャワーＳｗを過不足なく自由に浴びることができる。
この場合、使用者は、体格やシャワーＳｗを浴びせたい部位などに応じて、横把持棒ユニット１８あるいは把持棒１２、１３のグリップ管１６を選択的に掴むようにしてもよい。
【実施例７】
【００４６】
図７は本発明の実施例７を示す。実施例７では、実施例１の介助用手摺装置１において、グリップ管１６を取り外した把持棒１２、１３の図示右半分部に横把持棒ユニット１８を連結している。横把持棒ユニット１８が横Ｕ字状管部１８ｃを同一方向に向けて把持棒１２、１３の左右両側に存するようになる。
このため、使用者は両手で横把持棒ユニット１８を掴みながら起立できるので、起立状態が一層安定化する。使用者は不安定な起立状態から解放されるので、シャワー装置３２を使用した場合に、安心してシャワーＳｗを浴びることができる。
【実施例８】
【００４７】
図８は本発明の実施例８を示す。実施例８では、実施例７の介助用手摺装置１において、把持棒１２、１３の図示右半分部と図示左半分部に存する横把持棒ユニット１８の横Ｕ字状管部１８ｃが互いに反対向きとなるように配している。
これにより、一方の横把持棒ユニット１８から他方の横把持棒ユニット１８に到る距離が長くなる。このため、使用者の横把持棒ユニット１８に対する把持範囲が広がるとともに、起立後に歩行先の変更が可能となり、姿勢を変えることで移動範囲が広がり、自らの力で身辺雑事を足す自助範囲が増すようになる。
【実施例９】
【００４８】
図９は本発明の実施例９を示す。実施例９が実施例１と異なるところは、横把持棒ユニット４０を全体的に横Ｗ字状に形成したことである。
すなわち、横把持棒ユニット４０は、互いに水平となる上段横棒部４０ａと中段横棒部４０ｂと下段横棒部４０ｃとを含む横Ｗ字状管部４０ｄを有している。
上段横棒部４０ａは、曲成により把持棒１２における図示左半分部の上段の端部１２ｓに着脱可能に嵌合する上段端管部４０ｅを形成している。
中段横棒部４０ｂは、曲成により把持棒１３における図示左半分部の中段の端部１３ｓに着脱可能に嵌合する中段端管部４０ｆを形成している。
下段横棒部４０ｃは、曲成により把持棒１４における図示左半分部の下段の端部１４ｓに着脱可能に嵌合する下段端管部４０ｇを形成している。
【００４９】
この場合、上段横棒部４０ａと中段横棒部４０ｂと下段横棒部４０ｃといったように三段の横棒部を有することになり、使用者の掴み箇所が増えて支持状態を一層安定させることができる。
把持棒１２〜１４における図示右半分部からグリップ管１６を取り外して、もう一つの横把持棒ユニット４０を把持棒１２〜１４の図示右半分部に取り付けて、実施例７、８の形態と同様にしてもよい。
【００５０】
なお、上段横棒部４０ａと上段端管部４０ｅとの曲成部４０Ａ、中段横棒部４０ｂと中段端管部４０ｆとの曲成部４０Ｂ、および下段横棒部４０ｃと下段端管部４０ｇとの曲成部４０Ｃは、クロソイド曲線に沿って形成してもよい。
これにより、実施例２と同様に、上段横棒部４０ａ（中段横棒部４０ｂ、下段横棒部４０ｃ）と上段端管部４０ｅ（中段端管部４０ｆ、下段端管部４０ｇ）との曲成部４０Ａ、４０Ｂ、４０Ｃに沿って歩行先を変える際、スムーズかつ楽に姿勢を変更することができる。
【００５１】
（ａ）実施例１〜９において、設置板２は矩形状に形成したが、方形、菱形、円形、半円形、平行四辺形、楕円、台形、あるいは五角形や六角形などの多角形であってもよい。
（ｂ）設置板２に設けた透孔群４、５は、設置板２の中心部Ｍや外周縁中央部Ｎに限らず、必要に応じて他の箇所に複数群にわたって設けてもよい。
（ｃ）グリップ管１６の材質としては、ＳＢＲ（スチレンブタジエンラバー）、ＩＲ（イソプレンラバー）あるいはＣＲ（クロロプレンラバー）などを選択してもよい。
【００５２】
（ｄ）設置板２は、曲率の極めて小さいドーム形状にして、内部に補強リブを裏打ちしたものでもよい。これにより、シャワーを使用した時、設置板２の滴を外部に流下させ易くなる。
（ｅ）実施例１〜８では、横把持棒ユニット１８を把持棒１２、１３に連結したが、把持棒１３、１４に連結するようにしてもよい。把持棒を四段、五段といったように上下多段に設けた場合、横把持棒ユニット１８を上下に隣接する把持棒のうち、いずれにでも選択的に連結することができる。
（ｆ）建物の屋上などに複数のスタンド支持部材１５を間欠設置し、各スタンド支持部材１５の把持棒同士を手摺管で連結固定することにより、手摺管を足の不自由な人の歩行訓練に用いてもよい。
【産業上の利用可能性】
【００５３】
本発明の介助用手摺装置は、横方向に使用者を支える手段を備えるため、把持棒に対する把持範囲が広がるとともに、起立後に歩行先の変更が可能となり、姿勢を変えることで移動範囲が広がる。支柱を回転調節して把持棒が使用者の望む向きに指向するように設定できる一方、支柱を使用者の身長に見合った高さで把持棒が掴み易くなるように調整することができる。この使い勝手のよさもあって、一般の家庭は勿論、福祉施設などから経済性を求める需要者が増加し、関連部品の流通を介して機械産業界に適用することができる。
【符号の説明】
【００５４】
１              介助用手摺装置
２              設置板
７              支持筒
９              支柱
１２〜１４      把持棒
１２ａ、１２ｓ  把持棒の上段の端部
１３ａ、１４ｓ  把持棒の下段の端部
１３ｓ          把持棒の中段の端部
１５            スタンド支持部材
１６            グリップ管
１８、４０      横把持棒ユニット
１８ａ、４０ａ  上段横棒部
１８ｂ、４０ｃ  下段横棒部
１８ｃ          横Ｕ字状管部
１８ｄ、４０ｅ  上段端管部
１８ｅ、４０ｇ  下段端管部
１８Ａ、１８Ｂ  曲成部
２６、２７、３０  手摺管
３２            シャワー装置
３２ａ          シャワー吐出部
３２ｂ          通水管
３４            切欠部
４０ｂ          中段横棒部
４０ｄ          横Ｗ字状管部
４０ｆ          中段端管部
４０Ａ〜４０Ｃ  曲成部
Ｓｗ            シャワー
Ｅ              着脱機構
Ｎ              設置板の外周縁中央部
Ｍ              設置板の中心部
【図１】
2011010853.tif 000003
【図２】
2011010853.tif 000004
【図３】
2011010853.tif 000005
【図４】
2011010853.tif 000006
【図５】
2011010853.tif 000007
【図６】
2011010853.tif 000008
【図７】
2011010853.tif 000009
【図８】
2011010853.tif 000010
【図９】
2011010853.tif 000011